(57)【要約】【課題】本発明は、ネットワークを介して伝送される動画データのデルタフレーム消失によるビデオ画質の劣化を最小化するためのネットワーク上の動画データ伝送制御システムとその方法を提供する。【解決手段】このために、本発明は、圧縮動画ストリームのキーフレームとデルタフレームをパケット形態でマルチメディア通信ネットワークを介して伝送し、パケットの受信応答による特定のデルタフレームの消失可否に応じて次のデルタフレームの伝送中止およびキーフレームのみの伝送をコントロールするサーバと、前記サーバから圧縮動画ストリームによるキーフレームおよびデルタフレームのパケットの受信を受け、各パケットの受信結果に対する応答信号を前記サーバに伝送するクライアントとで構成されることを特徴とする。【選択図】図４
2009512265.tif 000002
【特許請求の範囲】
【請求項１】
ネットワーク上の動画データ伝送を制御するシステムであって、
圧縮動画ストリームのキーフレームとデルタフレームをパケット形態でマルチメディア通信ネットワークを介して伝送し、かつ、各パケットの受信を示す応答信号に基づいて、デルタフレームの消失の有無に応じて、後続するデルタフレームの伝送中止および次のキーフレームからの伝送続行を制御するサーバと、
前記サーバから、圧縮動画ストリームから得られたキーフレームおよびデルタフレームのパケットを受信し、各パケットの受信を示す前記応答信号を前記サーバに伝送するクライアントとを備えた
ことを特徴とする動画データ伝送制御システム。
【請求項２】
前記圧縮動画ストリームは、ＭＰＥＧ（Moving Picture Expert Group）形式の圧縮アルゴリズムが適用された動画ストリームである
ことを特徴とする請求項１記載の動画データ伝送制御システム。
【請求項３】
前記サーバは、前記キーフレームとデルタフレームの動画フレームを、それぞれ個別のパケットにパケット化するように構成されている
ことを特徴とする請求項２記載の動画データ伝送制御システム。
【請求項４】
前記パケットは、パケット番号、キーフレームまたはデルタフレーム区分情報、伝送時間、デュレーション（Duration）、およびプレゼンテーション時間（Presentation Time）を含むヘッダ情報と、１フレームのキーフレームまたはデルタフレームを含むペイロード情報とを、含む
ことを特徴とする請求項３記載の動画データ伝送制御システム。
【請求項５】
前記サーバは、
別途のメディアサーバからの圧縮動画ストリームを受信する動画受信部と、
前記圧縮動画ストリームをエンコーディングしてキーフレームとデルタフレームの動画フレームに分割する動画エンコーディング部と、
前記キーフレームとデルタフレームを送信時刻別に整列するフレーム整列部と、
前記送信時刻別に整列された動画フレームをキューの整列によってバッファリングするバッファと、
前記キーフレームとデルタフレームをそれぞれ個別のパケットにパケット化するパケット生成部と、
前記キーフレームパケットとデルタフレームパケットを送信時刻によって整列した順で順にクライアントに伝送し、前記クライアントから受信される応答信号に基づいて、デルタフレームパケットの消失の有無を判定し、後続するデルタフレームの伝送中止および次のキーフレームからの伝送続行を決定するパケット伝送コントロール部とを備えた
ことを特徴とする請求項３記載の動画データ伝送制御システム。
【請求項６】
前記パケット伝送コントロール部は、デルタフレームの伝送が所定の送信締切時刻を過ぎても有効でないとき、後続するデルタフレームの伝送を中止して次のキーフレームからの伝送続行を行うよう制御する
ことを特徴とする請求項５記載の動画データ伝送制御システム。
【請求項７】
前記送信締切時刻は、
送信締切時刻＝（プレゼンテーション時間−バッファリング時間）＋送信開始時刻
の関係式によって決定される
ことを特徴とする請求項４記載の動画データ伝送制御システム。
【請求項８】
前記送信締切時刻は、
送信締切時刻＝（プレゼンテーション時間−バッファリング時間）＋送信開始時刻
の関係式によって決定される
ことを特徴とする請求項６記載の動画データ伝送制御システム。
【請求項９】
前記クライアントは、
前記サーバからのキーフレームパケットおよびデルタフレームパケットの受信を受け、各パケットの受信を示す応答信号を前記サーバに伝送するパケット受信コントロール部と、
前記受信された動画フレームパケットをバッファリングするバッファと、
前記キーフレームパケットおよびデルタフレームパケットを動画フレームに復元するフレーム復元部と、
前記動画フレームをデコーディングして動画ストリームに変換する動画デコーディング部と、
前記圧縮動画ストリームを、再生するために、または、ローカルネットワークを介して伝送するために出力する動画出力部とを備えた
ことを特徴とする請求項１記載の動画データ伝送制御システム。
【請求項１０】
前記クライアントは、
前記サーバからのキーフレームパケットおよびデルタフレームパケットの受信を受け、各パケットの受信を示す応答信号を前記サーバに伝送するパケット受信コントロール部と、
前記受信された動画フレームパケットをバッファリングするバッファと、
前記キーフレームパケットおよびデルタフレームパケットを動画フレームに復元するフレーム復元部と、
前記動画フレームをデコーディングして動画ストリームに変換する動画デコーディング部と、
前記圧縮動画ストリームを、再生するために、または、ローカルネットワークを介して伝送するために出力する動画出力部とを備えた
ことを特徴とする請求項３記載の動画データ伝送制御システム。
【請求項１１】
ネットワーク上の動画データ伝送を制御する方法であって、
サーバから、圧縮動画ストリームのキーフレームとデルタフレームをパケット形態でクライアントに伝送する第１ステップと、
前記クライアントが、動画パケットの受信を示す応答信号を伝送する第２ステップと、
前記サーバが、前記クライアントから受信した応答信号に基づいて、デルタフレームの伝送が有効か否かを判定する第３ステップと、
デルタフレームの伝送が有効でないと判定したとき、後続するデルタフレームの伝送中止および次のキーフレームからの伝送続行を決定する第４ステップとを備えた
ことを特徴とする動画データ伝送制御方法。
【請求項１２】
前記第１ステップにおいて、ＭＰＥＧ（Moving Picture Expert Group）形式の圧縮アルゴリズムが圧縮動画ストリームに適用される
ことを特徴とする請求項１１記載の動画データ伝送制御方法。
【請求項１３】
前記第１ステップにおいて、前記キーフレームとデルタフレームの動画フレームが、それぞれ個別のパケットにパケット化される
ことを特徴とする請求項１２記載の動画データ伝送制御方法。
【請求項１４】
前記第１ステップは、
別途のメディアサーバからの圧縮動画ストリームを受信するステップと、
前記圧縮動画ストリームをエンコーディングしてキーフレームとデルタフレームの動画フレームに分割するステップと、
前記キーフレームとデルタフレームを送信時刻別に整列してバッファリングするステップと、
前記キーフレームとデルタフレームをそれぞれ個別のパケットにパケット化するステップと、
前記キーフレームパケットとデルタフレームパケットを送信時刻に応じて整列された順で順にクライアントに伝送するステップとを有する
ことを特徴とする請求項１３記載の動画データ伝送制御方法。
【請求項１５】
前記第３ステップは、前記デルタフレームが所定の送信締切時刻までに有効に伝送されたか否かを判定することによって、実行される
ことを特徴とする請求項１１記載の動画データ伝送制御方法。
【請求項１６】
前記送信締切時刻は、
送信締切時刻＝（プレゼンテーション時間−バッファリング時間）＋送信開始時刻
の関係式によって決定される
ことを特徴とする請求項１５記載の動画データ伝送制御方法。
【発明の詳細な説明】
【技術分野】
【０００１】
本発明は、ネットワーク上の動画データ伝送制御システムとその方法に関し、より詳くは、インターネットのようなマルチメディア通信ネットワークを介して伝送される動画データのフレーム損失による動画の画質劣化の発生を最小化できるようにするネットワーク上の動画データ伝送制御システムとその方法に関する。
【背景技術】
【０００２】
周知の通り、インターネットのようなマルチメディア通信ネットワークの場合には、大容量のデータ伝送が可能であると共に、データの伝送速度が改善されたデジタル加入者回線（ｘＤＳＬ）または専用回線を介したネットワーク網の構築によって、動画放送などのような大容量のデータ伝送サービスに対する要求が増大している。
【０００３】
動画放送などのような大容量のデータ伝送サービスに対する要求を満たすために、最近では、マルチメディア技術に対する技術開発の加速化結果として、デジタル動画データを適切に圧縮して効率的に伝送するための標準案として、ＭＰＥＧ１（Moving Picture Expert Group 1）、ＭＰＥＧ２、ＭＰＥＧ４、ＭＰＥＧ７のマルチメディアデータ圧縮技術が提案され実用化している。
【０００４】
このようなＭＰＥＧ技術は、動画のビデオデータとオーディオデータをそれぞれ個別に圧縮し、ネットワークを介してパケット形態でストリーム伝送するようになっている。ビデオデータの場合には、実質的なビデオデータのピクチャー情報が含まれているキーフレーム（Ｋｅｙ  Ｆｒａｍｅ）としてのＩフレームと、各キーフレーム間の相関関係などのモーション情報が含まれているデルタフレーム（Ｄｅｌｔａ  Ｆｒａｍｅ）としてのＰ，Ｂフレームとで区分しており、各フレームが両方向で圧縮されてデータが整列されるようになっている。
【０００５】
一方、ＭＰＥＧ１の場合には１秒ごとに１つのキーフレームが生成され、ＭＰＥＧ４の場合には４〜５秒ごとに１つのキーフレームが生成される。図１に示すように、ネットワークを介して伝送されるＭＰＥＧ動画データは、パケット単位でデータが生成されて伝送されるようになっており、通常的に１つのパケットあたり２０〜３０フレームのＩ，Ｐ，Ｂフレームデータがペイロード（Ｐａｙｌｏａｄ）データとして含まれることができる。１つのペイロードはＴＣＰプロトコルを介して自動的にサイズが決定されるが、１つのパケットサイズがプロトコルで定めたパケットサイズの標準を上回れば、様々なペイロードに分割されて伝送される。
【０００６】
ネットワークを介してパケット形態で伝送されるＭＰＥＧ動画データは、動画圧縮の参照基準であるＩ，Ｐ，Ｂフレーム順にデータ整列順序が保存されて伝送されるようになっている。このような動画パケットの伝送時にキーフレームとしてのＩフレームがデータ受信側であるクライアントに正常に受信されないようになれば、そのＩフレームと関連したデルタフレームとしてのＰ，Ｂフレームも重大なデータ損失が発生し、全般的なビデオ再生上の画質劣化が招来する。
【０００７】
また、ネットワークを介して動画データのフレームをパケット形態で伝送する状態において、図２に示すように、パケット内の特定のデルタフレームに対するフレーム消失が発生すれば、この後に後続的に伝送されるデルタフレームとキーフレームとの間の相関関係に消失が発生し、後続的なデルタフレームを用いることが不可能になるだけでなく、この後のキーフレームの正常な再生が困難になり、ビデオ再生時の画質劣化が深刻になるという問題点を有するようになる。
【発明の開示】
【発明が解決しようとする課題】
【０００８】
したがって、本発明は、上述した従来の問題点を解決するために導き出されたものであって、ネットワークを介して伝送される動画データのデルタフレーム消失によるビデオ画質の劣化を最小化するためのネットワーク上の動画データ伝送制御システムとその方法を提供することを目的とする。
【０００９】
また、本発明は、ネットワークを介して伝送される動画データのキーフレームを基準とする有効時間内にデルタフレームの消失による伝送がなされなければ、次のキーフレーム間のデルタフレームを伝送しないことによって、ビデオ画質の劣化を最小化できるようにするネットワーク上の動画データ伝送制御システムとその方法を提供することを他の目的とする。
【００１０】
さらに、本発明は、動画フレームの伝送有効時間測定および選別的な伝送のために、動画の各フレームを個別的なパケット形態で生成して伝送できるようにするネットワーク上の動画データ伝送制御システムとその方法を提供することをさらに他の目的とする。
【課題を解決するための手段】
【００１１】
前記の目的を達成するために、本発明のシステムによれば、圧縮動画ストリームのキーフレームとデルタフレームをパケット形態でマルチメディア通信ネットワークを介して伝送し、パケットの受信応答による特定のデルタフレームの消失可否に応じて次のデルタフレームの伝送中止後にキーフレームのみの伝送をコントロールするサーバと、前記サーバから圧縮動画ストリームによるキーフレームおよびデルタフレームのパケットの受信を受け、各パケットの受信結果に対する応答信号を前記サーバに伝送するクライアントとで構成されることを特徴とするネットワーク上の動画データ伝送制御システムを提供する。
【００１２】
前記の目的を達成するために、本発明の方法によれば、サーバから圧縮動画ストリームのキーフレームとデルタフレームをパケット形態でクライアントに伝送するステップと、前記クライアントで動画パケットの受信による応答信号を伝送するステップと、前記サーバでクライアントから受信される応答信号に基づいてデルタフレームの有効な伝送可否を判定するステップと、特定のデルタフレームが有効に伝送されなくなれば、次のデルタフレームの伝送中止およびキーフレームのみの伝送状態を決定するステップとからなることを特徴とするネットワーク上の動画データ制御方法を提供する。
【発明の効果】
【００１３】
本発明によれば、サーバからＭＰＥＧ動画ストリームをネットワークを介してクライアントに伝送する場合に、キーフレームとデルタフレームの動画フレームをそれぞれ個別的なパケットで生成して伝送し、キーフレームパケットに対する伝送時間、デュレーション、プレゼンテーション時間を基準としてデルタフレームの送信締切時間以内の伝送可否を判定することによって、デルタフレームが送信締切時間を超過しても正常に伝送されなくなれば、次のキーフレーム間のデルタフレームに対する伝送を中止できるようにすることによって、ＭＰＥＧ動画ストリームのネットワーク伝送中に発生するデルタフレームの消失によるビデオ画質の劣化を最小化することが可能になるという効果を有する。
【発明を実施するための最良の形態】
【００１４】
以下、上記のように構成された本発明について、添付の図面を参照しながら詳細に説明する。
【００１５】
すなわち、図３は、本発明に係るネットワーク上の動画データ制御方法によって各動画フレームが個別的にパケット化する状態を示した図である。
【００１６】
図３に示すように、本発明の実施形態では、動画データとしてＭＰＥＧデータのキーフレーム（Ｉフレーム）とデルタフレーム（Ｐ，Ｂフレーム）をそれぞれ個別的なパケットとして生成し、Ｉ，Ｐ，Ｂフレームの伝送パケットに応じて順にネットワークを介してフレームを伝送できるようにする。
【００１７】
すなわち、ＭＰＥＧ動画データの１フレームは１パケットで構成され、それぞれのパケットは、ヘッダ情報、ペイロードパーシング情報、ペイロードデータで構成される。各パケットのペイロードストリーム番号には、オーディオ番号、キーフレームまたはデルタフレーム区分情報、プレゼンテーション時間（Presentation Time）が含まれている。
【００１８】
前記キーフレームパケットのヘッダ情報に含まれたプレゼンテーション時間は、後続的に伝送されるデルタフレームパケットの伝送有効時間を算定する基準として用いられ、このような伝送有効時間内のデルタフレームの伝送可否に応じて、後続するデルタフレームおよびキーフレームの正常な伝送または後続するデルタフレームの伝送中止およびキーフレームのみの伝送状態を決定する。
【００１９】
一方、前記ＭＰＥＧ動画データをクライアント側に伝送するサーバでは、フレームの伝送有効時間として送信締切時刻を決定して各フレームの有効な伝送可否を判定する。この送信締切時刻に対する計算式は、下記の（式１）に示された通りである。
（式１）
送信締切時刻＝（プレゼンテーション時間−バッファリング時間）＋送信開始時刻
【００２０】
次に、図４は、本発明に係るネットワーク上の動画データ伝送制御システムの構成を示した図である。
【００２１】
図４に示すように、本発明に係る動画データ伝送制御システムは、サーバ１００とクライアント２００とで構成され、サーバ１００は、動画受信部１０と、動画エンコーディング部１５と、フレーム整列部２０と、ストリームバッファ２５と、パケット生成部３０と、パケット伝送コントロール部３５とを含んで構成される。
【００２２】
また、クライアント２００は、パケット受信コントロール部５０と、ストリームバッファ６５と、フレーム復元部７０と、動画デコーディング部７５と、動画再生部８０と、ネットワーク伝送部８５とを含んで構成される。
【００２３】
サーバ１００において、動画受信部１０は、別途のマルチメディアサーバ（好ましくは、ウィンドウメディアサーバ（Window Media Server））から生成されたＭＰＥＧ形式の動画データストリームの受信を受ける。
【００２４】
動画エンコーディング部１５は、動画受信部１０を介して受信を受けたＭＰＥＧ動画ストリームをエンコーディング処理し、キーフレームとしてのＩフレームとデルタフレームとしてのＰ，Ｂフレームとに分割する。フレーム整列部２０は、動画エンコーディング部１５を介してエンコーディングされてフレーム別に分割された動画フレームを送信時刻別に整列する。この整列は、上記の（式１）によって算出される各フレームの送信締切時刻に応じて行われる。
【００２５】
ストリームバッファ２５は、エンコーディングされた動画フレームを、フレーム整列部２０による送信時刻別に整列された順に応じてキューの整列によってバッファリングする。パケット生成部３０は、ストリームバッファ２５を介したキーフレームとデルタフレームの動画フレームをそれぞれ個別的なパケットでパケット化する。
【００２６】
パケット伝送コントロール部３５は、パケット生成部３０を介して個別的にパケット化された動画フレームのパケットデータを、インターネットのようなマルチメディア通信ネットワークを介してクライアントに伝送し、各パケット別にクライアント２００から受信を受けた応答（ＡＣＫ）信号によってデルタフレームのパケットがキーフレームに対する送信締切時刻内に正常に伝送されるか否かに応じて、デルタフレームの伝送持続または伝送中止を制御する。
【００２７】
ここで、パケット伝送コントロール部３５は、フレーム整列部２０によって決定されたフレームの整列順に応じて、各フレームパケットをＴＣＰ／ＩＰまたはＵＤＰ環境下のマルチメディア通信ネットワークを介してクライアント２００に伝送するパケット伝送部４０と、フレームパケットの伝送結果でクライアント２００から各パケット別に伝送する応答信号の受信を受ける応答受信部４５とを含んで構成される。
【００２８】
パケット伝送コントロール部３５は、パケット伝送部４０からパケットが伝送される送信開始時刻と、キーフレームパケットに含まれたプレゼンテーション時間、受信側のバッファリング時間を考慮して算定される送信締切時刻に基づいて、応答受信部４５に受信される応答信号によってデルタフレームパケットの正常な受信可否を判定する。以前のキーフレームパケットが伝送された後にデルタフレームが送信締切時刻以内に正常に伝送されれば、この後のデルタフレームパケットとキーフレームパケットを正常に順に伝送する。
【００２９】
この反面、パケット伝送コントロール部３５は、送信締切時刻以内にキーフレーム以後のデルタフレームが有効に伝送されなくなれば、該当のデルタフレームが消失したものと判定し、この後のデルタフレームに対する伝送を中止し、次のキーフレームとデルタフレームを伝送する。
【００３０】
また、クライアント２００において、パケット受信コントロール部５０は、マルチメディア通信ネットワークを介してサーバ１００のパケット伝送コントロール部３５からフレームパケットの受信を受けるパケット受信部５５と、パケット受信部５５からパケットを受信するたびにこれに伴う応答信号をサーバ１００に伝送する応答送信部６０とを含んで構成される。
【００３１】
ストリームバッファ６５は、パケット受信コントローラ５０のパケット受信部５５を介して受信されるキーフレームパケットとデルタフレームパケットを順にバッファリングする。フレーム復元部７０は、ストリームバッファ６５を介した各フレームパケットをキーフレームとデルタフレームにフレームデータを復元する。
【００３２】
動画デコーディング部７５は、フレーム復元されたキーフレームとデルタフレームをネットワーク伝送および再生が可能な動画ストリームデータの形態でデコーディング処理する。動画再生部８０は、デコーティング処理された動画ストリームデータをビデオ信号処理し、該当のクライアント２００に備えられたモニタ画面を介して再生されるようにする。
【００３３】
ネットワーク伝送部８５は、該当のクライアント２００が中継クライアントとして適用されるように、動画デコーディング部７５を介してデコーディング処理された動画ストリームデータを特定のローカルクライアントにネットワークを介して伝送する。
【００３４】
一方、サーバ１００とクライアント２００は、図５に示すように、キーフレームパケットが伝送された後にデルタフレームパケットを伝送する状態で特定のデルタフレームパケットが消失され、送信締切時刻が経過しても該当のパケットに対する応答信号が受信されなければ、次のキーフレームパケット以前に伝送しなければならない次のデルタフレームパケットに対する伝送を中止し、次のキーフレームパケットをクライアント２００に伝送できるようにする。
【００３５】
続いて、上述のように構成された本発明の動作について、図６のフローチャートを参照しながら詳細に説明する。
【００３６】
まず、サーバ１００の動画受信部１０では、別途のメディアサーバからＭＰＥＧ動画ストリームデータの受信を受け（Ｓ１０）、動画エンコーディング部１５では、前記受信された動画ストリームデータをエンコーディングしてキーフレームとデルタフレームの形態に分割する（Ｓ１１）。
【００３７】
この状態で、サーバ１００のフレーム整列部２０では、前記動画フレームを送信時刻別に順に整列する処理を実行し（Ｓ１２）、パケット生成部３０では、前記ストリームバッファ２５を介した動画フレームを各フレーム別にそれぞれ個別的にパケット化する（Ｓ１３）。
【００３８】
サーバ１００のパケット伝送コントロール部３５は、パケット送信部４０を介してそれぞれフレーム別にパケット化された動画パケットをマルチメディア通信ネットワークを介してクライアント２００に伝送し（Ｓ１４）、クライアント２００のパケット受信コントロール部５０では、パケット受信部５５を介してサーバ１００からのフレームパケットの受信を受ける（Ｓ１５）。
【００３９】
ここで、クライアント２００のパケット受信コントロール部５０では、パケット受信部５５を介してキーフレームパケットまたはデルタフレームパケットの受信を受けるたびに応答伝送部６０を介して応答信号を伝送し（Ｓ１６）、サーバ３５の応答受信部４５は、クライアント２００から伝送される応答信号の受信を受けて、伝送されるフレームパケットが送信締切時刻以内に正常に受信されたか否かを知る（Ｓ１７）。
【００４０】
一方、サーバ１００のパケット伝送コントロール部３５は、キーフレームパケットの伝送以後に後続するデルタフレームパケットが送信締切時刻以内に伝送されたか否かを判断する（Ｓ１８）。
【００４１】
前記判断の結果、パケット伝送コントロール部３５は、各デルタフレームパケットが送信締切時刻以内に有効に伝送されたと判断されれば、前記ステップＳ１３〜ステップＳ１７の過程を繰り返し実行し、次のデルタフレームパケットおよび次のキーフレームパケットの伝送を正常に実行する。
【００４２】
しかしながら、前記ステップＳ１８の判断結果に応じて特定のデルタフレームパケットに対する送信締切時刻が超過するものと判断されれば、次のデルタフレームパケットの伝送を中止し、次のキーフレームパケットのみを伝送する（Ｓ１９）。
【００４３】
この状態で、クライアント２００では、パケット受信部５５を介して受信を受け、ストリームバッファ６５を経た動画パケットをフレーム復元部７０を介してそれぞれのフレーム形態に復元処理し（Ｓ２０）、動画デコーディング部７５では、フレーム復元部７０を介して復元された各動画フレームをデコーディングして本来の動画ストリーム形態に変換する（Ｓ２１）。
【００４４】
このとき、クライアント２００は、動画再生部８０で前記動画ストリームをビデオ信号処理してモニタを介して再生されるようにしたり、ネットワーク伝送部８５を介して前記動画ストリームを所望するローカル側にネットワーク伝送させるようにする（Ｓ２２）。
【００４５】
その次に、サーバ１００は、該当の動画ストリームの伝送が終了するか否かを判断し（Ｓ２３）、前記動画ストリームの伝送が終了する時点であると判断されれば、パケット伝送コントロール部３５を介した動画パケットの伝送を終了する（Ｓ２４）。
【００４６】
なお、本発明は、上述した典型的な好ましい実施形態にのみ限定されるものではなく、本発明の要旨を逸脱しない範囲内で様々に改良、変更、代替、または付加して実施できることは、当該の技術分野において通常の知識を有する者であれば容易に理解できるであろう。このような改良、変更、代替、または付加による実施が特許請求の範囲の範疇に属するものであれば、その技術思想も本発明に属するものと見なければならない。
【図面の簡単な説明】
【００４７】
【図１】従来のネットワークを介した動画データフレームのパケット伝送形態を示した図である。
【図２】従来のネットワークを介して伝送される動画データパケットのデルタフレーム損失による以後のデルタフレームの使用不可状態を示した図である。
【図３】本発明に係るネットワーク上の動画データ制御方法によって、各動画フレームが個別的にパケット化する状態を示した図である。
【図４】本発明に係るネットワーク上の動画データ伝送制御システムの構成を示した図である。
【図５】本発明の好ましい実施形態によって、それぞれ個別的にパケット化した動画データフレームの伝送中に、デルタフレームの消失によって次のデルタフレームを伝送しない状態を例示的に示した図である。
【図６】本発明に係るネットワーク上の動画データ制御方法の動作を説明するためのフローチャートである。
【符号の説明】
【００４８】
１０：動画受信部
１５：動画エンコーディング部
２０：フレーム整列部
２５，６５：ストリームバッファ
３０：パケット生成部
３５：パケット伝送コントロール部
４０：パケット送信部
４５：応答受信部
５０：パケット受信コントロール部
５５：パケット受信部
６０：応答送信部
７０：フレーム復元部
７５：動画デコーディング部
８０：動画再生部
８５：ネットワーク伝送部
１００：サーバ
２００：クライアント
【図１】
2009512265.tif 000003
【図２】
2009512265.tif 000004
【図３】
2009512265.tif 000005
【図４】
2009512265.tif 000006
【図５】
2009512265.tif 000007
【図６】
2009512265.tif 000008
【国際調査報告】
2009512265.tif 000009
2009512265.tif 000010